(57)【要約】【課題】表示処理速度の向上及びダウンタイムの軽減を実現することができる医用画像表示装置及び医用画像表示方法を提供する。【解決手段】実施形態に係る医用画像表示装置１は、複数種類の付帯情報及び医用画像を対応付けて記憶する記憶部として機能する保管部５と、複数種類の付帯情報を用いて医用画像を表示する第１表示モード又はその第１表示モードよりも少ない種類の付帯情報を用いて医用画像を表示する第２表示モードに表示モードを切り替えるモード切替部６ａと、そのモード切替部６ａにより切り替えられた第１表示モード又は第２表示モードに従って医用画像の表示を行う表示部４とを備える。【選択図】図１
2015173863.tif 000002
【特許請求の範囲】
【請求項１】
複数種類の付帯情報及び医用画像を対応付けて記憶する記憶部と、
前記複数種類の付帯情報を用いて前記医用画像を表示する第１表示モード又は前記第１表示モードよりも少ない種類の前記付帯情報を用いて前記医用画像を表示する第２表示モードに表示モードを切り替えるモード切替部と、
前記モード切替部により切り替えられた前記第１表示モード又は前記第２表示モードに従って前記医用画像の表示を行う表示部と、
を備えることを特徴とする医用画像表示装置。
【請求項２】
前記第２表示モードは、ＤＩＣＯＭのプライベートタグに含まれる付帯情報の使用を禁止するモードであることを特徴とする請求項１に記載の医用画像表示装置。
【請求項３】
前記医用画像の表示が緊急であるか否かを判断する判断部をさらに備え、
前記モード切替部は、前記判断部により前記医用画像の表示が緊急であると判断された場合、前記表示モードを前記第２表示モードに切り替えることを特徴とする請求項１又は請求項２に記載の医用画像表示装置。
【請求項４】
前記記憶部は、前記複数種類の付帯情報及び前記医用画像を含む医用画像ファイルを複数記憶し、
前記表示モードが前記第２表示モードである場合、前記医用画像ファイル毎に前記医用画像を表示するために最低限必要となる情報を決定する情報処理部をさらに備え、
前記表示部は、前記表示モードが前記第２表示モードである場合、前記情報処理部により決定された前記医用画像ファイル毎の前記最低限必要となる情報を用いて、前記医用画像ファイル毎の前記医用画像の表示を行うことを特徴とする請求項１乃至請求項３のいずれか一項に医用画像表示装置。
【請求項５】
前記情報処理部は、
前記複数の医用画像ファイルに共通する前記最低限必要となる情報を示す必須情報を取得する取得部と、
前記取得部により取得された前記必須情報に基づき、前記医用画像ファイル毎に前記最低限必要となる情報を決定する情報決定部と、
を具備することを特徴とする請求項４に記載の医用画像表示装置。
【請求項６】
前記必須情報は、前記最低限必要となる情報として画像を示す必須画像情報及び付帯情報を示す必須付帯情報を含んでいることを特徴とする請求項５に記載の医用画像表示装置。
【請求項７】
前記記憶部は、複数の前記必須画像情報を規定する必須画像情報テーブル及び複数の前記必須付帯情報を規定する必須付帯情報テーブルを記憶し、
前記取得部は、前記記憶部により記憶された前記必須画像情報テーブル及び前記必須付帯情報テーブルから、前記複数の医用画像ファイルに共通する前記必須画像情報及び前記必須付帯情報を選択して取得することを特徴とする請求項６に記載の医用画像表示装置。
【請求項８】
前記情報処理部は、前記医用画像ファイル毎に前記医用画像ファイルから前記最低限必要となる情報を並行して読み込み、読み込みが失敗した情報を除き、読み込みが成功した情報を用いることを特徴とする請求項４乃至請求項７のいずれか一項に記載の医用画像表示装置。
【請求項９】
複数種類の付帯情報及び医用画像を対応付けて記憶する工程と、
前記複数種類の付帯情報を用いて前記医用画像を表示する第１表示モード又は前記第１表示モードよりも少ない種類の前記付帯情報を用いて前記医用画像を表示する第２表示モードに表示モードを切り替える工程と、
前記切り替える工程により切り替えられた前記第１表示モード又は前記第２表示モードに従って前記医用画像の表示を行う工程と、
を有することを特徴とする医用画像表示方法。
【請求項１０】
前記第２表示モードは、ＤＩＣＯＭのプライベートタグに含まれる付帯情報の使用を禁止するモードであることを特徴とする請求項９に記載の医用画像表示方法。
【請求項１１】
前記医用画像の表示が緊急であるか否かを判断する工程をさらに有し、
前記表示モードを切り替える工程では、前記判断する工程により前記医用画像の表示が緊急であると判断された場合、前記表示モードを前記第２表示モードに切り替えることを特徴とする請求項９又は請求項１０に記載の医用画像表示方法。
【請求項１２】
前記記憶する工程では、前記複数種類の付帯情報及び前記医用画像を含む医用画像ファイルを複数記憶し、
前記表示モードが前記第２表示モードである場合、前記医用画像ファイル毎に前記医用画像を表示するために最低限必要となる情報を決定する工程をさらに有し、
前記表示を行う工程では、前記表示モードが前記第２表示モードである場合、前記情報を決定する工程により決定された前記医用画像ファイル毎の前記最低限必要となる情報を用いて、前記医用画像ファイル毎の前記医用画像の表示を行うことを特徴とする請求項９乃至請求項１１のいずれか一項に記載の医用画像表示方法。
【請求項１３】
前記情報を決定する工程では、前記複数の医用画像ファイルに共通する前記最低限必要となる情報を示す必須情報を取得し、取得した前記必須情報に基づき、前記医用画像ファイル毎に前記最低限必要となる情報を決定することを特徴とする請求項１２に記載の医用画像表示方法。
【請求項１４】
前記必須情報は、前記最低限必要となる情報として画像を示す必須画像情報及び付帯情報を示す必須付帯情報を含んでいることを特徴とする請求項１３に記載の医用画像表示方法。
【請求項１５】
前記記憶する工程では、複数の前記必須画像情報を規定する必須画像情報テーブル及び複数の前記必須付帯情報を規定する必須付帯情報テーブルを記憶し、
前記情報を決定する工程では、前記記憶する工程により記憶された前記必須画像情報テーブル及び前記必須付帯情報テーブルから、前記複数の医用画像ファイルに共通する前記必須画像情報及び前記必須付帯情報を選択して取得することを特徴とする請求項１４記載の医用画像表示方法。
【請求項１６】
前記情報を決定する工程では、前記医用画像ファイル毎に前記医用画像ファイルから前記最低限必要となる情報を並行して読み込み、読み込みが失敗した情報を除き、読み込みが成功した情報を用いることを特徴とする請求項１２乃至請求項１５のいずれか一項に記載の医用画像表示方法。
【発明の詳細な説明】
【技術分野】
【０００１】
本発明の実施形態は、医用画像表示装置及び医用画像表示方法に関する。
【背景技術】
【０００２】
医用画像表示装置は、例えば、Ｘ線コンピュータ断層撮像装置（Ｘ線ＣＴ装置）や磁気共鳴診断装置（ＭＲＩ装置）などの医用画像撮影装置により撮影された医用画像の表示を行う。この医用画像表示装置は、医用画像を表示する際、医用画像の付帯情報として機能するタグ情報（ヘッダー情報）を読み込み、その読み込んだタグ情報を元に画像処理を行い、画像データ（ピクセルデータ）に基づく医用画像を表示する。
【０００３】
ところが、タグ情報としては、規格違反や解読不能のプライベートタグが存在しており、付帯情報を読み込むことができないことがある。また、ピクセルデータが一部破損しており、ピクセルデータを読み込めないこともある。さらに、画像処理中にメモリ不足などの理由により、処理を継続することができないことがある。これらのことが原因となり、医用画像表示装置が異常終了してしまう場合がある。
【０００４】
このような問題を生じさせる医用画像を表示するためには、その問題を特定し、データに問題がある場合には、表示できる形にデータを修正する必要があり、例えば、タグ情報の削除や医用画像撮影装置からのデータ再送などを行う。一方、医用画像表示装置に問題がある場合には、ソフトウェアの修正が必要となることがある。これらの対応では、画像表示（画像参照）までに時間及び手間を要することになる。例えば、検査が急を要する場合には、早急に画像表示を行う必要があるため、表示処理速度の向上及びダウンタイムの軽減が求められている。
【先行技術文献】
【特許文献】
【０００５】
【特許文献１】特開２００７−１４４１５１号公報
【発明の概要】
【発明が解決しようとする課題】
【０００６】
本発明が解決しようとする課題は、表示処理速度の向上及びダウンタイムの軽減を実現することができる医用画像表示装置及び医用画像表示方法を提供することである。
【課題を解決するための手段】
【０００７】
実施形態に係る医用画像表示装置は、複数種類の付帯情報及び医用画像を対応付けて記憶する記憶部と、複数種類の付帯情報を用いて医用画像を表示する第１表示モード又はその第１表示モードよりも少ない種類の付帯情報を用いて医用画像を表示する第２表示モードに表示モードを切り替えるモード切替部と、そのモード切替部により切り替えられた第１表示モード又は第２表示モードに従って医用画像の表示を行う表示部とを備える。
【０００８】
実施形態に係る医用画像表示方法は、複数種類の付帯情報及び医用画像を対応付けて記憶する工程と、複数種類の付帯情報を用いて医用画像を表示する第１表示モード又はその第１表示モードよりも少ない種類の付帯情報を用いて医用画像を表示する第２表示モードに表示モードを切り替える工程と、その切り替える工程により切り替えられた第１表示モード又は第２表示モードに従って医用画像の表示を行う工程とを有する。
【図面の簡単な説明】
【０００９】
【図１】実施の一形態に係る医用画像表示装置の概略構成を示すブロック図である。
【図２】実施の一形態に係る必須画像情報テーブルを示す図である。
【図３】実施の一形態に係る必須付帯情報テーブルを示す図である。
【図４】実施の一形態に係る医用画像表示処理の流れを説明するための説明図である。
【発明を実施するための形態】
【００１０】
実施の一形態について図面を参照して説明する。
【００１１】
図１に示すように、実施の一形態に係る医用画像表示装置１は、外部との通信を行う通信部２と、操作者からの入力操作を受け付ける操作部３と、各種情報を表示する表示部４と、各種情報を保管する保管部５と、各種情報を処理する情報処理部６とを備えている。
【００１２】
この医用画像表示装置１は、医用画像を撮影する医用画像撮影装置あるいは医用画像を保存するストレージなどにネットワーク（有線や無線の通信網）を介して接続されている。なお、医用画像撮像装置としては、例えば、Ｘ線コンピュータ断層撮像装置（ＣＴ）や磁気共鳴診断装置（ＭＲＩ）、超音波診断装置（ＵＳ）などがある。
【００１３】
通信部２は、無線や有線のネットワークを介して、例えば、画面転送プロトコルなどの各種の通信プロトコルに基づいて、医用画像撮影装置やストレージなどの外部装置との通信を行う。例えば、通信部２は、医用画像撮影装置やストレージなどの外部装置から医用画像に係る情報（医用画像ファイルなど）を受信する。
【００１４】
操作部３は、操作者（例えば、読影医や医師などのユーザ）により入力操作される入力部であり、画像表示要求や患者ＩＤ入力などの様々な入力操作を受け付ける。この操作部３としては、例えば、ボタンやキーボード、マウス、ＧＵＩ（グラフィックユーザインターフェース）などの入力デバイスを用いることが可能である。
【００１５】
表示部４は、医用画像などの各種画像を表示する表示装置である。この表示部４としては、例えば、液晶ディスプレイや有機ＥＬ（エレクトロルミネッセンス）ディスプレイなどを用いることが可能である。
【００１６】
保管部５は、医用画像ファイル５ａや必須画像情報テーブル５ｂ、必須付帯情報テーブル５ｃなどを記憶する記憶部である。この保管部５としては、例えば、大容量のＨＤＤ（ハードディスクドライブ）やＳＳＤ（ソリッドステートドライブ）などの記憶装置を用いることが可能である。なお、保管部５は装置内ではなく外部装置としてネットワークに接続されて用いられても良い。
【００１７】
医用画像ファイル５ａは、医用画像の画像情報（ピクセルデータ）及びその医用画像の付帯情報（例えば、複数種類の付帯情報）により構成されており（図１参照）、これらの情報は保管部５により対応付けられて記憶されている。この医用画像ファイル５ａが複数存在しており、それらの医用画像ファイル５ａが患者の検査毎に一群とされて患者ＩＤ（Ｉｄｅｎｔｉｆｉｅｒ）などに関連付けられ、保管部５に保管されている。したがって、患者が検査される度に、新しい検査の一群の医用画像ファイル５ａが作成され、ネットワークを介して保管部５に保管される。なお、医用画像ファイル５ａは、例えば、医用画像標準規格のＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）に基づいて構成されている。
【００１８】
必須画像情報テーブル５ｂは、図２に示すように、モダリティ（医用画像撮影装置）及び検査目的ごとに、医用画像を表示するために最低限必要となる画像を示す必須画像情報（必要画像情報）を規定するテーブルである。例えば、モダリティがＣＴであり、検査目的がＡＡＡＡである場合、必須画像は全画像となる。また、モダリティがＣＴであり、検査目的がＢＢＢＢである場合、必要画像は全画像となる。モダリティがＵＳであり、検査目的がＣＣＣＣである場合、一部の画像でも表示可能であり、必要画像は少なくとも一部の画像となる。このように必須画像情報テーブル５ｂから所望の必須画像情報を得ることが可能である。なお、検査目的としては、例えば、具体的な検査内容又は検査名、健診名（定期健診や特定健診など）、手術名などを用いることが可能である。
【００１９】
必須付帯情報テーブル５ｃは、図３に示すように、モダリティ及び検査目的ごとに、医用画像を表示するために最低限必要となる付帯情報を示す必須付帯情報（必要付帯情報）を規定するテーブルである。例えば、モダリティがＣＴあり、検査目的がＡＡＡＡである場合、ピクセルサイズ及び階調は必須となり、再生レートは不要となる。また、モダリティがＣＴであり、検査目的がＢＢＢＢである場合、ピクセルサイズは必須となり、階調及び再生レートは不要となる。モダリティがＵＳであり、検査目的がＣＣＣＣである場合、ピクセルサイズ及び再生レートは必須となり、階調が不要となる。このように必須付帯情報テーブル５ｃから所望の必須付帯情報を得ることが可能である。なお、階調はモノクロ表示の場合に必要となり、カラー表示の場合に不要となる。また、再生レートは動画表示の場合に必要となり、静止表示の場合に不要となる。
【００２０】
なお、図２では、モダリティ及び検査目的ごとに必須画像（必要画像）を設定しているが、これに限るものではなく、例えば、他の情報ごとに必須画像を設定するようにしても良い。同様に、図３でも、モダリティ及び検査目的ごとに必要付帯情報を設定しているが、これに限るものではなく、例えば、他の情報ごとに必須画像を設定するようにしても良い。また、必要付帯情報としては、ピクセルサイズや階調、再生レート以外の情報も用いることが可能である。
【００２１】
図１に戻り、情報処理部６は、表示モードを切り替えるモード切替部６ａと、現在の表示モードに応じて情報を取得する取得部６ｂと、取得した情報を元に画像処理を行う画像処理部６ｃとを具備している。この情報処理部６は、電気回路などのハードウエアにより構成されても良く、また、各機能を実行するプログラムなどのソフトウェアにより構成されても良く、あるいは、それらの両方の組合せにより構成されても良い。
【００２２】
モード切替部６ａは、表示モードを通常モード（第１表示モード）又は簡易モード（第２表示モード）に切り替える。通常モードは、定期健診時など緊急を要しない検査の場合に用いられ、簡易モードは、手術時など急を要する検査の場合（一例として、救急の検査の場合など）に用いられる。これらのモードは操作部３に対する操作者の入力操作に応じて切り替えられる。なお、簡易モードは、通常モードよりも表示に使用する付帯情報の種類を少なくして医用画像を表示するモードである。この簡易モードの一例としては、ＤＩＣＯＭのプライベートタグに含まれる付帯情報の使用を禁止するモードがある。
【００２３】
取得部６ｂは、モード切替部６ａにより切り替えられた現在の表示モードが通常モードと簡易モードのどちらであるかを判断する判断部として機能し、その判断した表示モードに応じて画像処理部６ｃに対する情報の取得提供を行う。まず、モードが通常モードであると判断した場合には、通常の画像処理を画像処理部６ｃに指示する。一方、モードが簡易モードであると判断した場合、簡易の画像処理を画像処理部６ｃに指示する。このとき、取得部６ｂは、簡易の画像処理に必要な情報を選択し、すなわち、必須画像情報テーブル５ｂ及び必須付帯情報テーブル５ｃから適切な必須画像情報及び必須付帯情報を選択し、画像処理部６ｃに渡す。
【００２４】
画像処理部６ｃは、取得部６ｂからの指示に応じ、現在のモードが通常モードである場合、表示要求対象である検査の一群の医用画像ファイル５ａから全情報（全画像情報及び全付帯情報）を読み込んで画像処理を行う。一方、現在のモードが簡易モードである場合には、前述の必須画像情報及び必須付帯情報に基づき、表示要求対象である検査の一群の医用画像ファイル５ａから最低限必要な情報（最低限必要な画像情報及び付帯情報）を決定し、その決定した情報を読み込んで画像処理を行う。どちらのモードでも、読み込んだ医用画像ファイル５ａごとに、少なくとも一種類の付帯情報（例えば、タグ情報）に基づいて画像情報（ピクセルデータ）に対して画像処理を行い、その画像情報に基づく表示用の医用画像を生成して表示部４に渡す。なお、画像処理部６ｃは、前述のように、最低限必要な情報を決定する情報決定部として機能する。
【００２５】
次に、前述の医用画像表示装置１が行う医用画像表示処理について説明する。なお、通常、医用画像表示装置１の動作モードは通常モードになっている。
【００２６】
図４に示すように、操作部３は、読影医や医師などのユーザの入力操作に応じて、患者ＩＤ（Ｉｄｅｎｔｉｆｉｅｒ）や検査ＵＩＤ（ＵＮＩＱＵＥ  Ｉｄｅｎｔｉｆｉｅｒ）など、画像表示のために必要な情報を取得部６ｂに渡す（ステップＳ１）。このとき、ユーザは操作部３を入力操作して前述の必要な情報を入力し、画像表示要求を行う。
【００２７】
取得部６ｂは、操作部３から患者ＩＤや検査ＵＩＤなどを受け、患者ＩＤからその検査（画像表示）が緊急であるか否かを判断する（ステップＳ２）。例えば、患者ＩＤに特定の文字列がある場合、一例としてＥＭ（Ｅｍｅｒｇｅｎｃｙ）０００１のように患者ＩＤにＥＭが存在する場合、検査が緊急であると判断する。なお、この緊急の判断材料としては、患者ＩＤに限るものではなく、例えば特定装置からの情報受信や画像表示要求の際の引数（一例として、緊急を示す情報の受信や緊急を示す引数）などを用いるようにしても良い。
【００２８】
検査が緊急でないと判断した場合には（ステップＳ２のＮＯ）、モード切替部６ａがモードを通常モードのままとし、画像処理部６ｃが通常の全画像読み出し（全ての画像情報と付帯情報の読み出し）及び画像処理を行い、表示用の医用画像（表示画像）を生成して表示部４に渡す（ステップＳ３）。
【００２９】
一方、検査が緊急であると判断した場合には（ステップＳ２のＹＥＳ）、モード切替部６ａがモードを通常モードから簡易モードとし、取得部６ｂがモダリティや検査目的などの情報に基づいて必須画像情報を取得する（ステップＳ４）。このとき、取得部６ｂは、保管部５に保管されている必須画像情報テーブル５ｂから、表示要求を受けている検査の医用画像を表示するための必須画像情報を取得する。例えば、モダリティがＣＴであり、検査目的がＡＡＡＡである場合には（図２参照）、必須画像は全画像となる。一方、モダリティがＵＳであり、検査目的がＣＣＣＣである場合、必須画像は少なくとも一部の画像となる。このように必要とする画像を示す必須画像情報が必須画像情報テーブル５ｂから選択されて取得される。
【００３０】
次いで、取得部６ｂは、モダリティや検査目的などの情報に基づいて必須付帯情報を取得する（ステップＳ５）。このとき、取得部６ｂは、保管部５に保管されている必須付帯情報テーブル５ｃから、表示要求を受けている検査の医用画像を表示するための必須付帯情報を取得する。例えば、モダリティがＣＴであり、検査目的がＡＡＡＡである場合には（図３参照）、ピクセルサイズ及び階調は必須となり、再生レートは不要となる。一方、モダリティがＵＳであり、検査目的がＣＣＣＣである場合、ピクセルサイズ及び再生レートは必須となり、階調が不要となる。このように必要とする付帯情報を示す必須付帯情報が必須付帯情報テーブル５ｃから選択されて取得される。
【００３１】
最後に、取得部６ｂは、取得した前述の必須画像情報及び必須付帯情報を画像処理部６ｃに渡す（ステップＳ６）。画像処理部６ｃは、取得部６ｂから必須画像情報及び必須付帯情報を受け、それらの必須画像情報及び必須付帯情報を元に、対象となる画像読み出し（画像情報と付帯情報の読み出し）及び画像処理を行い、表示用の医用画像を生成して表示部４に渡す（ステップＳ７）。表示部４は、画像処理部６ｃから表示用の医用画像を受け、その医用画像を表示する（ステップＳ８）。
【００３２】
画像処理部６ｃは、前述のステップＳ７において、読み込んだ付帯情報（例えば、複数種類の付帯情報）に基づいて画像情報に対して画像処理を行い、表示用の医用画像を生成するが、このとき、全ての画像情報が必要であるわけではない。このため、例えば、必要な画像枚数分の画像読み込みスレッド（プラグラムの実行単位）を立ち上げ（並行処理）、ピクセルデータ破損などの理由により画像読み込みスレッドが異常終了した場合でも、異常終了しなかった画像読み込みスレッドによって読み込んだ各画像を表示し、画像表示のメインプロセスに影響がないようにする。すなわち、検査の一群の医用画像ファイル５ａのうち読み込みが失敗した情報を除き、読み込みが成功した情報を使用して、表示用の医用画像を生成する。
【００３３】
ここで、例えば、モダリティがＣＴであり、検査目的がＡＡＡＡである場合において、必須画像情報は、必須画像が全ての画像となることを示しており、必須付帯情報は、ピクセルサイズ及び階調が必須となり、再生レートが不要となることを示している。このため、画像処理部６ｃは、一群の医用画像ファイル５ａから全画像情報を読み込み、それらの画像情報に付帯する付帯情報のピクセルサイズ及び階調のみを読み込み、それらの情報を用いて、表示用の医用画像を生成する。この場合には、通常モードのように一検査の全情報を読み込む場合に比べ、読み込む付帯情報が少なくなるため、迅速な画像表示及び画像参照を行うことができる。なお、画像表示のために最低限必要となる画像情報及び付帯情報を読み込んでいるため、医用画像の表示は可能である。
【００３４】
また、例えば、モダリティがＵＳであり、検査目的がＣＣＣＣである場合において、必須画像情報は、少なくとも一部の画像が必要となることを示しており、必須付帯情報は、ピクセルサイズ及び再生レートは必須となり、階調が不要となることを示している。このため、画像処理部６ｃは、一群の医用画像ファイル５ａから一部の画像情報を読み込み、それらの画像情報に付帯する付帯情報のピクセルサイズ及び再生ルートのみを読み込み、それらの情報を用いて、表示用の医用画像を生成する。この場合には、通常モードのように一検査の全情報を読み込む場合に比べ、読み込む画像情報及び付帯情報が少なくなるため、より迅速な画像表示及び画像参照を行うことができる。なお、前述と同様、画像表示のために最低限必要となる画像情報及び付帯情報を読み込んでいるため、医用画像の表示は可能である。
【００３５】
以上のような医用画像表示工程によれば、急を要する医用画像表示の際には、モードを簡易モードとして処理を行い、モダリティや検査目的に応じて、読み込む情報及び処理を必要最小限にすることで、処理速度の向上及びダウンタイムの軽減を達成することができる。すなわち、読み込む情報及び処理を必要最小限にすることによって、通常モードのように一検査の全情報を読み込む場合に比べ、画像表示の処理速度を向上させることができ、さらに、付帯情報あるいはピクセルデータの読み込みエラーなどの理由による医用画像表示装置１の異常終了を未然に抑止することが可能となるため、ダウンタイムを軽減することができる。
【００３６】
なお、通常モードにおいて異常終了した場合には、医用画像表示装置１が再起動時に強制的にモードを簡易モードとして復旧することで、画像表示（画像参照）を可能とすることができる。また、異常終了の再発防止策としては、医用画像表示装置１が通常モードにおいて一度異常終了した画像があった場合には、その情報を保管部５に保存し、異常終了した画像と同じモダリティで撮影された検査に関しては、今後表示する際に最初から簡易モードで表示する（自動学習機能）。また、保管部５はネットワークを介して接続されサーバとして機能する場合もあり、この場合にも、前述の情報をサーバに伝えることが有効であり、異常終了した画像と同じモダリティで撮影された検査に関しては、今後別のクライアントのビューアで表示する際にも最初から簡易モードで表示する。
【００３７】
以上説明したように、実施形態によれば、一群の医用画像ファイル（医用画像に係る情報）５ａから、医用画像を表示するために最低限必要となる情報を決定して読み込んで表示用の医用画像を生成し、その生成した医用画像を表示する。これにより、医用画像表示の際に読み込む情報及び処理を必要最小限にすることが可能となるので、一群の医用画像ファイル５ａの全情報を読み込んで表示を行う場合に比べ、表示処理速度の向上及びダウンタイムの軽減を達成することができる。例えば、検査（画像表示）が急を要する場合でも、早急に医用画像を表示することが可能となり、迅速な画像参照を行うことができる。
【００３８】
また、実施形態によれば、複数種類の付帯情報及び医用画像を対応付けて記憶し、それらの付帯情報を用いて医用画像を表示する通常モード（第１表示モード）又はその通常モードよりも少ない種類の付帯情報を用いて医用画像を表示する簡易モード（第２表示モード）に表示モードを切り替え、その切り替えた表示モード（第１表示モード又は第２表示モード）に従って医用画像の表示を行う。これにより、簡易モードでは、医用画像表示の際に読み込む情報及び処理を減らすことが可能となるので、通常モードのように複数種類の付帯情報を全て読み込んで表示を行う場合に比べ、表示処理速度の向上及びダウンタイムの軽減を達成することができる。
【００３９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１    医用画像表示装置
４    表示部
５    保管部
５ａ  医用画像ファイル
５ｂ  必須画像情報テーブル
５ｃ  必須付帯情報テーブル
６    情報処理部
６ａ  モード切替部
６ｂ  取得部
６ｃ  画像処理部
【図１】
2015173863.tif 000003
【図２】
2015173863.tif 000004
【図３】
2015173863.tif 000005
【図４】
2015173863.tif 000006